(57)【特許請求の範囲】
【請求項１】
配送システムで用いられる端末装置であって、
配送用の伝票から、当該伝票に記載されている情報を読み取る伝票情報読取り部と、
配送先で受取人が提示するＩＣカードから、当該ＩＣカードに記憶されている情報を読み取るＩＣカード情報読取り部と、
を備え、
前記伝票から読み取る情報には、前記受取人の氏名が含まれ、
前記ＩＣカードから読み取る情報には、氏名と電子署名が含まれ、
前記端末装置は、
前記電子署名を検証するための電子証明書の情報を記憶する証明書記憶部と、
前記電子証明書を用いて前記受取人の電子署名を検証する署名検証部と、
前記電子署名の検証に成功した場合に、前記伝票から読み取った前記受取人の氏名と前記ＩＣカードから読み取った前記氏名とが対応するか否かに基づいて、前記受取人への受け渡しの妥当性を判定する受け渡し判定部と、
を備えたことを特徴とする端末装置。
【請求項２】
前記電子証明書を配送ルートに従って取得する証明書取得部を備えたことを特徴とする請求項１に記載の端末装置。
【請求項３】
将来の配送ルートプランの情報を取得するルート情報取得部と、
前記証明書記憶部に記憶されている前記電子証明書の情報のうち、前記配送ルートプランに含まれない受取人の電子署名を検証するための電子証明書を消去する証明書消去部と、
を備えたことを特徴とする請求項１または請求項２に記載の端末装置。
【請求項４】
前記電子証明書には、複数の世代の電子証明書が含まれ、前記配送先の場所に応じて、前記電子証明書の世代ごとに優先度が設定されており、
前記端末装置は、前記優先度の高い順に前記電子証明書を取得する証明書取得部を備えたことを特徴とする請求項１ないしは請求項３に記載の端末装置。
【請求項５】
過去の配送結果に基づいて、前記配送先の場所ごとの前記電子証明書の世代の情報がデータベース化され、前記データベース化された情報に基づいて、前記電子証明書の世代ごとの優先度が設定されており、
前記証明書取得部は、前記優先度の高い順に前記電子証明書を取得することを特徴とする請求項４に記載の端末装置。
【請求項６】
前記配送先の場所には、受取人の住所、または、前記受取人の住所以外の受け取り可能な場所が含まれることを特徴とする請求項１ないし請求項５のいずれかに記載の端末装置。
【請求項７】
端末装置を用いた配送システムであって、
前記端末装置は、
配送用の伝票から、当該伝票に記載されている情報を読み取る伝票情報読取り部と、
配送先で受取人が提示するＩＣカードから、当該ＩＣカードに記憶されている受取人の情報を読み取るＩＣカード情報読取り部と、
を備え、
前記伝票から読み取る情報には、受取人の氏名が含まれ、
前記ＩＣカードから読み取る情報には、氏名と電子署名が含まれ、
前記端末装置は、
前記受取人の電子署名を検証するための電子証明書の情報を記憶する証明書記憶部と、
前記電子証明書を用いて前記受取人の電子署名を検証する署名検証部と、
前記電子署名の検証に成功した場合に、前記伝票から読み取った前記受取人の氏名と前記ＩＣカードから読み取った前記氏名とが対応するか否かに基づいて、前記受取人への配送品の受け渡しの許否を判定する受け渡し判定部と、
を備えたことを特徴とする配送システム。
【請求項８】
配送システムで用いられる端末装置において実行される方法であって、
前記方法は、
配送用の伝票から、当該伝票に記載されている情報を読み取る処理と、
配送先で受取人が提示するＩＣカードから、当該ＩＣカードに記憶されている受取人の情報を読み取る処理と、
を含み、
前記伝票から読み取る情報には、受取人の氏名が含まれ、
前記ＩＣカードから読み取る情報には、氏名と電子署名が含まれ、
前記方法は、
前記受取人の電子署名を検証するための電子証明書の情報を記憶する処理と、
前記電子証明書を用いて前記受取人の電子署名を検証する処理と、
前記電子署名の検証に成功した場合に、前記伝票から読み取った前記受取人の氏名と前記ＩＣカードから読み取った前記氏名とが対応するか否かに基づいて、前記受取人への配送品の受け渡しの許否を判定する処理と、
を含むことを特徴とする方法。
【発明の詳細な説明】
【技術分野】
【０００１】
本発明は、配送システムで用いられる端末装置に関するものである。
【背景技術】
【０００２】
従来、配送システムにおいて、ＧＰＳシステムと移動通信システムを結合し、配送車の位置の把握や配送データなどの送受信を行うことにより、配送効率や信頼性の向上が図られている。例えば、配送先の位置情報を利用することで、印鑑やサインなどの不要な受領確認の方法が提案されている（例えば、特許文献１参照）。
【先行技術文献】
【特許文献】
【０００３】
【特許文献１】特開平８−２７３０９７号公報
【発明の概要】
【発明が解決しようとする課題】
【０００４】
しかしながら、従来の配送システムでは、ＧＰＳシステムと移動通信システムとを利用するに留まっており、配送品の受け渡しをより確実かつ簡単に行うための技術の開発が望まれていた。
【０００５】
本発明は、上記従来の問題を解決するためになされたもので、短い処理時間で、受取人への配送品の受け渡しを適切に行うことのできる端末装置を提供することを目的とする。
【課題を解決するための手段】
【０００６】
本発明の端末装置は、配送システムで用いられる端末装置であって、前記端末装置の現在位置の情報を取得する位置情報取得部と、配送用の伝票から、当該伝票に記載されている情報を読み取る伝票情報読取り部と、配送先で受取人が提示するＩＣカードから、当該ＩＣカードに記憶されている受取人の情報を読み取るＩＣカード情報読取り部と、を備え、前記伝票から読み取る情報には、配送先の場所と受取人の氏名の情報が含まれ、前記ＩＣカードから読み取る情報には、氏名と電子署名の情報が含まれ、前記端末装置は、予め設定されている配送ルートに従って取得した、前記受取人の電子署名を検証するための電子証明書の情報を記憶する証明書記憶部と、前記電子証明書を用いて前記受取人の電子署名を検証する署名検証部と、前記電子署名の検証に成功した場合に、前記伝票から読み取った前記配送先の場所と前記端末装置の現在位置とが対応するか否か、および、前記伝票から読み取った前記受取人の氏名と前記ＩＣカードから読み取った前記氏名とが対応するか否かに基づいて、前記受取人への配送品の受け渡しの許否を判定する受け渡し判定部と、を備えた構成を有している。
【０００７】
この構成により、伝票から読み取った配送先の場所と端末装置の現在位置とが対応し、かつ、伝票から読み取った受取人の氏名とＩＣカードから読み取ったカード所有者またはカード所有者の後見人、親、配偶者等の氏名とが対応したときに、受取人への配送品の受け渡しが許可される。そのため、受取人への配送品の受け渡しを適切に行うことができる。この際、電子証明書を用いて電子署名の検証を行い、ＩＣカードから読み取った電子署名の検証に成功した場合に、上記のように、受取人への配送品の受け渡しを許可するか否かが判定される。そして、この電子証明書は、予め設定されている配送ルートに従って取得して記憶されている。したがって、配送品の受け渡しの許否の判定のたびに電子証明書を取得する場合に比べて、処理時間を短縮することができる。
【０００８】
また、本発明の端末装置は、将来の配送ルートプランの情報を取得するルート情報取得部と、前記証明書記憶部に記憶されている前記電子証明書の情報のうち、前記配送ルートプランに含まれない受取人の電子署名を検証するための電子証明書を消去する証明書消去部と、を備えた構成を有している。
【０００９】
この構成により、配送ルートプランに含まれない受取人の電子署名を検証するための電子証明書（不要な電子証明書）が消去されるので、端末装置のメモリ等のリソースを節約することができる。
【００１０】
また、本発明の端末装置では、前記電子証明書に、複数の世代の電子証明書が含まれ、前記配送先の場所に応じて、前記電子証明書の世代ごとに優先度が設定されており、前記端末装置は、前記優先度の高い順に前記電子証明書を取得する証明書取得部を備えた構成を有している。
【００１１】
この構成により、配送先の場所に応じて、電子証明書の世代ごとに優先度が設定され、優先度の高い順に電子証明書の取得が行われる。このようにして、電子証明書の取得を効率的に行うことができる。
【００１２】
また、本発明の端末装置では、過去の配送結果に基づいて、前記配送先の場所ごとの前記電子証明書の世代の情報がデータベース化され、前記データベース化された情報に基づいて、前記電子証明書の世代ごとの優先度が設定されており、前記証明書取得部は、前記優先度の高い順に前記電子証明書を取得する構成を有している。
【００１３】
この構成により、過去の配送結果に基づいて、配送先の場所ごとの電子証明書の世代の情報がデータベース化される。そして、データベース化された情報に基づいて、電子証明書の世代ごとの優先度が設定され、優先度の高い順に電子証明書の取得が行われる。このようにして、電子証明書の取得を効率的に行うことができる。
【００１４】
また、本発明の端末装置では、前記配送先の場所に、受取人の住所、または、前記受取人の住所以外の受け取り可能な場所が含まれる構成を有している。
【００１５】
この構成により、受取人の住所だけでなく、受取人の住所以外の受け取り可能な場所でも、受取人への配送品の受け渡しを適切に行うことができる。
【００１６】
本発明のシステムは、端末装置を用いた配送システムであって、前記端末装置は、前記端末装置の現在位置の情報を取得する位置情報取得部と、配送用の伝票から、当該伝票に記載されている情報を読み取る伝票情報読取り部と、配送先で受取人が提示するＩＣカードから、当該ＩＣカードに記憶されている情報を読み取るＩＣカード情報読取り部と、を備え、前記伝票から読み取る情報には、配送先の場所と受取人の氏名の情報が含まれ、前記ＩＣカードから読み取る情報には、氏名と電子署名の情報が含まれ、前記端末装置は、予め設定されている配送ルートに従って取得した、前記受取人の電子署名を検証するための電子証明書の情報を記憶する証明書記憶部と、前記電子証明書を用いて前記受取人の電子署名を検証する署名検証部と、前記電子署名の検証に成功した場合に、前記伝票から読み取った前記配送先の場所と前記端末装置の現在位置とが対応するか否か、および、前記伝票から読み取った前記受取人の氏名と前記ＩＣカードから読み取った前記の氏名とが対応するか否かに基づいて、前記受取人への配送品の受け渡しの許否を判定する受け渡し判定部と、を備えた構成を有している。
【００１７】
このシステムによっても、上記と同様に、伝票から読み取った配送先の場所と端末装置の現在位置とが対応し、かつ、伝票から読み取った受取人の氏名とＩＣカードから読み取った氏名とが対応したときに、受取人への配送品の受け渡しが許可される。そのため、受取人への配送品の受け渡しを適切に行うことができる。この場合、電子証明書を用いて電子署名の検証を行い、ＩＣカードから読み取った電子署名の検証に成功した場合に、上記のように、受取人への配送品の受け渡しを許可するか否かが判定される。そして、この電子証明書は、予め設定されている配送ルートに従って取得して記憶されている。したがって、配送品の受け渡しの許否の判定のたびに電子証明書を取得する場合に比べて、処理時間を短縮することができる。
【００１８】
本発明の方法は、配送システムで用いられる端末装置において実行される方法であって、前記方法は、前記端末装置の現在位置の情報を取得する処理と、配送用の伝票から、当該伝票に記載されている情報を読み取る処理と、配送先で受取人が提示するＩＣカードから、当該ＩＣカードに記憶されている情報を読み取る処理と、を含み、前記伝票から読み取る情報には、配送先の場所と受取人の氏名の情報が含まれ、前記ＩＣカードから読み取る情報には、氏名と電子署名の情報が含まれ、前記方法は、予め設定されている配送ルートに従って取得した、前記受取人の電子署名を検証するための電子証明書の情報を記憶する処理と、前記電子証明書を用いて前記受取人の電子署名を検証する処理と、
前記電子署名の検証に成功した場合に、前記伝票から読み取った前記配送先の場所と前記端末装置の現在位置とが対応するか否か、および、前記伝票から読み取った前記受取人の氏名と前記ＩＣカードから読み取った前記氏名とが対応するか否かに基づいて、前記受取人への配送品の受け渡しの許否を判定する処理と、を含んでいる。
【００１９】
この方法によっても、上記と同様に、伝票から読み取った配送先の場所と端末装置の現在位置とが対応し、かつ、伝票から読み取った受取人の氏名とＩＣカードから読み取った氏名とが対応したときに、受取人への配送品の受け渡しが許可される。そのため、受取人への配送品の受け渡しを適切に行うことができる。この場合、電子証明書を用いて受取人の電子署名の検証を行い、受取人のＩＣカードから読み取った電子署名の検証に成功した場合に、上記のように、受取人への配送品の受け渡しを許可するか否かが判定される。そして、この電子証明書は、予め設定されている配送ルートに従って取得して記憶されている。したがって、配送品の受け渡しの許否の判定のたびに電子証明書を取得する場合に比べて、処理時間を短縮することができる。
【発明の効果】
【００２０】
本発明は、短い処理時間で、受取人への配送品の受け渡しを適切に行うことができるという効果を有する端末装置を提供することができるものである。
【図面の簡単な説明】
【００２１】
【図１】本発明の実施の形態における配送システムの説明図
【図２】本発明の実施の形態における端末装置のブロック図
【図３】本発明の実施の形態における配送ルートと電子証明書のダウンロード順の説明図
【図４】本発明の実施の形態における電子証明書の世代の情報と優先度の説明図
【図５】本発明の実施の形態における端末装置の動作説明のためのフロー図
【発明を実施するための形態】
【００２２】
以下、本発明の実施の形態の端末装置について、図面を用いて説明する。本実施の形態では、配送エリアの比較的広い配送システム（例えば、家具、燃料、ゴルフバッグなどの配送システム）等に用いられる端末装置の場合を例示する。
【００２３】
本発明の実施の形態の端末装置の構成を、図面を参照して説明する。図１は、本実施の形態の配送システムの説明図である。図１に示すように、本実施の形態の配送システム１では、配送用の端末装置２が用いられる。端末装置２は、配送者に所持され、配送先での配送品の受け渡しの確認や決済等の処理を行うために用いられる。なお、端末装置２は、配送センターの受付カウンターに設置されてもよく、配送センターでの配送品の受け渡しの確認や決済等の処理を行うために用いられてもよい。
【００２４】
図２は、本実施の形態の配送システム１で用いられる端末装置２のブロック図である。図２に示すように、端末装置２には、位置情報取得部３と伝票情報読取り部４とＩＣカード情報読取り部５が備えられている。位置情報取得部３は、ＧＰＳシステム６を利用することにより、端末装置２の現在位置の情報を取得する機能を備えている。
【００２５】
伝票情報読取り部４は、配送用の伝票７（用紙）から、その伝票７に記載されている情報（例えば、配送先の場所や受取人の氏名などの情報）を光学的に読み取る機能（例えば、スキャナー機能とＯＣＲ機能）を備えている。ＩＣカード情報読取り部５は、配送先で受取人が提示するＩＣカード８（例えば、ＩＣ免許証や住民基本台帳カード）から、そのＩＣカード８に記憶されている受取人の情報（例えば、カード所有者と電子署名の情報）を非接触通信で読み取る機能を備えている。なお、配送先の場所には、受取人の住所だけでなく、受取人の住所以外の受け取り可能な場所（例えば、受取人の職場など）が含まれる。
【００２６】
また、図２に示すように、端末装置２には、ルート情報取得部９と証明書管理部１０が備えられている。ルート情報取得部９は、配送事業者のサーバ装置１１から、当日の配送ルートの情報を取得する機能を備えている。また、このルート情報取得部９は、配送事業者のサーバ装置１１から、翌日の配送ルートプランの情報を取得する機能も備えている。
【００２７】
証明書管理部１０は、証明書取得部１２と証明書記憶部１３と証明書消去部１４で構成される。証明書取得部１２は、当日の配送ルート（予め設定されている配送ルート）に従って、その配送ルートに含まれる受取人の電子署名を検証するための電子証明書を、証明書サーバ１５からダウンロードして取得する機能を備えている。証明書サーバ１５は、例えば、都道府県ごと（ＩＣ免許証の場合）や市町村ごと（住基カードの場合）に設置される。証明書取得部１２によって取得された電子証明書は、証明書記憶部１３に記憶される。
【００２８】
ここで、図３を参照して、配送ルートと電子証明書のダウンロード順について説明する。例えば、図３（ａ）に示すように、当日の配送ルートが「配送先１（住所：Ａ市ａ区１−１−１、氏名：Ｘ）」、「配送先２（住所：Ｂ市区２−２−２、氏名Ｙ）」、「配送先３（住所：Ｃ市ｃ区３−３−３、氏名：Ｚ）」、・・・の順であったとすると、図３（ｂ）に示すように、電子証明書のダウンロードは、この配送ルートに従って「Ａ市発行の電子証明書」、「Ｂ市発行の電子証明書」、「Ｃ市発行の電子証明書」・・・の順で行われる。
【００２９】
証明書消去部１４は、当日の配送が終了した後、証明書記憶部１３に記憶されている電子証明書のうち、翌日の配送ルートプランに含まれない受取人の電子署名を検証するための電子証明書を消去する機能を備えている。例えば、図３（ｂ）の例において、翌日の配送ルートプランにＡ市が含まれていない場合には、証明書記憶部１３から「Ａ市発行の電子証明書」が消去されることになる。
【００３０】
電子証明書には、複数の世代（例えば、第１世代、第２世代、第３世代、・・・）の電子証明書が含まれる。配送事業者のサーバ装置１１では、過去の配送結果（端末装置２から収集した情報）に基づいて、配送先の場所ごとの電子証明書の世代の情報がデータベース化されており、データベース化された情報に基づいて、配送先の場所に応じて、電子証明書の世代ごとの優先度（ダウンロード優先度、消去優先度）が設定されている。そして、証明書取得部１２は、ダウンロード優先度の高い順に電子証明書を取得し、証明書消去部１４は、消去優先度が高い順に電子証明書を消去する。
【００３１】
ここで、図４を参照しながら、電子証明書の世代と優先度について説明する。例えば、図４に示すように、古くからの住宅地が多い「Ａ市」で、電子証明書の世代の割合が「第１世代：７０％、第２世代：２０％、第３世代：１０％」であったとすると、Ａ市の電子証明書については、ダウンロード優先度が「第１世代、第２世代、第３世代」の順に高く、消去優先度が「第３世代、第２世代、第１世代」の順に高くなるように設定される。したがって、Ａ市の電子証明書のダウンロードは「第１世代、第２世代、第３世代」の順に行われ、Ａ市の電子証明書の消去は「第３世代、第２世代、第１世代」の順に行われる。
【００３２】
一方、新興住宅地が多い「Ｃ市」で、電子証明書の世代の割合が「第１世代：１０％、第２世代：２０％、第３世代：１７％」であったとすると、Ｃ市の電子証明書については、ダウンロード優先度が「第３世代、第２世代、第１世代」の順に高く、消去優先度が「第１世代、第２世代、第３世代」の順に高くなるように設定される。したがって、Ｃ市の電子証明書のダウンロードは「第３世代、第２世代、第１世代」の順に行われ、Ｃ市の電子証明書の消去は「第１世代、第２世代、第３世代」の順に行われる。
【００３３】
図２に戻って、端末装置２の構成の説明を続ける。図２に示すように、端末装置２には、署名検証部１６と受け渡し判定部１７が備えられている。署名検証部１６は、証明書記憶部１３に記憶されている電子証明書を用いて、受取人のＩＣカード８から読み取った電子署名を検証する機能を備えている。受け渡し判定部１７は、電子署名の検証に成功した場合に、伝票７から読み取った配送先の場所と端末装置２の現在位置とが対応するか否か、および、伝票７から読み取った受取人の氏名とＩＣカード８から読み取ったカード所有者とが対応するか否かに基づいて、受取人への配送品の受け渡しの許否を判定する機能を備えている。
【００３４】
本実施の形態では、伝票７から読み取った配送先の場所と端末装置２の現在位置とが対応（完全一致または部分一致）し、かつ、伝票７から読み取った受取人の氏名とＩＣカード８から読み取ったカード所有者が対応（完全一致または部分一致）した場合に、受取人への配送品の受け渡しが許可される。
【００３５】
また、伝票７に受取人の住所が記載されており、またカード所有者の住所がＩＣカード内に書き込まれている場合、受け渡し判定部１７は、電子署名の検証に成功した場合に、伝票７から読み取った配送先の場所と、端末装置２の現在位置とが対応するか否か、および、伝票７から読み取った受取人の氏名とＩＣカード８から読み取ったカード所有者とが対応するか否か、および伝票７から読み取った受取人の住所とＩＣカード８から読み取ったカード所有者の住所とが対応するか否か、これら３つの条件がすべて満足しているかどうかに基づいて、受取人への配送品の受け渡しの許否を判定する機能を備えている。
【００３６】
また、配送品の重要度に応じて、上記３つの条件のうちいくつを満たせばいいかを割りあてることも可能である。例えば、高価な配送品には３つの条件すべてが満足した場合にのみ受け渡しを許可し、通常の配送品には３つの条件のうち２つを満足した場合に受け渡しを許可し、チラシ等であれば1つでも合致すればよい、とすることも可能である。
【００３７】
以上のように構成された端末装置２について、図５のフロー図を参照してその動作を説明する。
【００３８】
本実施の形態の端末装置２を用いて配送を行うときには、図５に示すように、まず、配送事業者のサーバ装置１１から、当日の配送ルートの情報を取得し（Ｓ１）、必要な電子証明書（その配送ルートに含まれる受取人の電子署名を検証するための電子証明書）をダウンロードできる証明書サーバ１５（例えば、Ａ市、Ｂ市、Ｃ市の証明書サーバ）を特定し（Ｓ２）、その証明書サーバ１５に対して電子証明書のダウンロード要求を送信する（Ｓ３）。そして、必要な電子証明書（例えば、Ａ市、Ｂ市、Ｃ市の電子証明書）をすべて取得すると（Ｓ４）、それらの電子証明書を予め保存しておく（Ｓ５）。
【００３９】
配送先（例えば、図３（ａ）の配送先１）に到着すると、端末装置２は、ＧＰＳシステム６を利用して「現在位置」の情報を取得する（Ｓ６）。また、端末装置２は、伝票７から「配送先の場所」や「受取人の氏名」などの情報を光学的に読み取るとともに（Ｓ７）、受取人が提示するＩＣカード８から「電子署名」の情報を非接触通信で読み取る（Ｓ８）。
【００４０】
つぎに、予め保存しておいて電子証明書（例えば、Ａ市の電子証明書）を用いて、受取人の電子署名の検証を行う（Ｓ９）。電子署名の検証に成功した場合には、伝票７から読み取った配送先の場所と端末装置２の現在位置とが対応するか否か、および、伝票７から読み取った受取人の氏名とＩＣカード８から読み取ったカード所有者、あるいは配偶者等の氏名とが対応するか否かに基づいて、受取人への配送品の受け渡しの許否を判定する（Ｓ１０）。配偶者の氏名は苗字、あらかじめ読んだ住民基本台帳を参照しても良い。
【００４１】
そして、伝票７から読み取った配送先の場所と端末装置２の現在位置とが対応（完全一致または部分一致）し、かつ、伝票７から読み取った受取人の氏名とＩＣカード８から読み取ったカード所有者の氏名とが対応（完全一致または部分一致）した場合には、配送品の受け渡しの処理（受け渡しの確認や決済等の処理）が実行される（Ｓ１１）。
【００４２】
このような本実施の形態の端末装置２によれば、短い処理時間で、受取人への配送品の受け渡しを適切に行うことができる。
【００４３】
すなわち、本実施の形態では、伝票７から読み取った配送先の場所と端末装置２の現在位置とが対応し、かつ、伝票７から読み取った受取人の氏名とＩＣカード８から読み取ったカード所有者の氏名とが対応したときに、受取人への配送品の受け渡しが許可される。そのため、受取人への配送品の受け渡しを適切に行うことができる。以上にカード所有者の氏名が対応した場合を主に記述したが、カード所有に限らず、カード所有者の保護者、後見人、保佐人等でも良い。
【００４４】
この場合、電子証明書を用いて受取人の電子署名を検証を行い、受取人のＩＣカード８から読み取った電子署名の検証に成功した場合に、上記のように、受取人への配送品の受け渡しを許可するか否かが判定される。そして、図３に示すように、この電子証明書は、予め設定されている配送ルートに従って、予め取得（ダウンロード）して記憶（保存）されている。したがって、配送品の受け渡しの許否の判定のたびに電子証明書を取得する場合に比べて、処理時間を短縮することができる。
【００４５】
また、本実施の形態では、配送ルートプランに含まれない受取人の電子署名を検証するための電子証明書（不要な電子証明書）が消去されるので、端末装置２のメモリ等のリソースを節約することができる。
【００４６】
また、本実施の形態では、図４に示すように、配送先の場所に応じて、電子証明書の世代ごとに優先度が設定され、優先度の高い順に電子証明書の取得が行われる。この場合、過去の配送結果に基づいて、配送先の場所ごとの電子証明書の世代の情報がデータベース化される。そして、データベース化された情報に基づいて、電子証明書の世代ごとの優先度が設定され、優先度の高い順に電子証明書の取得が行われる。このようにして、電子証明書の取得を効率的に行うことができる。
【００４７】
また、本実施の形態では、配送先の場所に、受取人の住所以外の受け取り可能な場所（例えば、受取人の職場など）が含まれる。したがって、受取人の住所だけでなく、受取人の住所以外の受け取り可能な場所でも、受取人への配送品の受け渡しを適切に行うことができる。
【００４８】
以上、本発明の実施の形態を例示により説明したが、本発明の範囲はこれらに限定されるものではなく、請求項に記載された範囲内において目的に応じて変更・変形することが可能である。
【産業上の利用可能性】
【００４９】
以上のように、本発明にかかる端末装置は、短い処理時間で、受取人への配送品の受け渡しを適切に行うことができるという効果を有し、配送エリアの比較的広い配送システムで用いられる端末装置等として有用である。
【符号の説明】
【００５０】
１  配送システム
２  端末装置
３  位置情報取得部
４  伝票情報読取り部
５  ＩＣカード情報読取り部
６  ＧＰＳシステム
７  伝票
８  ＩＣカード
９  ルート情報取得部
１０  証明書管理部
１１  配送事業者のサーバ装置
１２  証明書取得部
１３  証明書記憶部
１４  証明書消去部
１５  証明書サーバ
１６  署名検証部
１７  受け渡し判定部
【図１】
0006052486.tif 000002
【図２】
0006052486.tif 000003
【図３】
0006052486.tif 000004
【図４】
0006052486.tif 000005
【図５】
0006052486.tif 000006